(57)【要約】      （修正有）【課題】円柱状の缶詰などが被包装物として整列されている場合でも、押し込みやすい手指差込部を有する包装箱を提供する。【解決手段】包装箱１は、胴部２、上面封止部３、下面封止部４を備える。胴部２は、右側壁５、前壁６、左側壁７、後壁８を備える。前壁６には、正面視において、左右方向に３つ隣り合った商品群の中央の商品から左右の商品に跨るように一対の前手指差込部２０がそれぞれ設けられている。前手指差込部２０は、正面視において、中央の商品の中央部から左右の商品の中央部の手前までそれぞれ延びる前差込折目線Ｌ１４と、前差込折目線Ｌ１４の中央部から各先端までそれぞれ湾曲して延びる前差込切目線２１とを有する。前差込切目線２１は、正面視において、中央の商品の中央部から左右の商品との隙間に向かうにしたがい、前差込折目線Ｌ１４からの距離が大きくなるように形成されている。【選択図】図１
0003231492.tif 000002
【実用新案登録請求の範囲】
【請求項１】
前後左右４枚の側壁からなる四角筒状の胴部と、前記胴部の上端開口及び下端開口を封止する上面封止部及び下面封止部と、を備え、円柱状の被包装物を左右方向に少なくとも３個以上整列させて収容する包装箱において、
前記側壁には、正面視において、左右方向に３つ隣り合った所定の被包装物群の中央の被包装物から左右の被包装物に跨るように一対の手指差込部がそれぞれ設けられ、
手指差込部は、正面視において、前記中央の被包装物の中央部から左右の被包装物の中央部の手前までそれぞれ延びる差込折目線と、前記差込折目線の中央部から各先端までそれぞれ屈曲または湾曲して延びる差込切目線とを有し、
前記差込切目線は、正面視において、前記中央の被包装物の中央部から左右の被包装物との隙間に向かうにしたがい、差込折目線からの距離が大きくなることを特徴とする包装箱。
【請求項２】
請求項１記載の包装箱において、
前記差込折目線は、Ｖ字状または逆Ｖ字状に形成され、
前記差込切目線は、前記差込折目線がＶ字状のときは上方に向かって凸状、前記差込折目線が逆Ｖ字状のときは下方に向かって凸状に形成されることを特徴とする包装箱。
【請求項３】
請求項１または２に記載の包装箱において、
前記側壁には、前記差込折目線の各先端から前記側壁の上端まで延びる第１窓部切目線と、前記上端に沿って延びて第１窓部切目線の両先端を繋ぐ第２窓部切目線とが形成されていることを特徴とする包装箱。
【請求項４】
請求項１または２に記載の包装箱において、
前記胴部は、前壁、後壁、左側壁、右側壁により構成され、
前記上面封止部は、前記左側壁及び前記右側壁の上端に第１折目線を介して延設された一対の外フラップと、前記前壁及び前記後壁の上端に第２折目線を介してそれぞれ延設された一対の内フラップとにより構成され、
前記手指差込部は、前壁に形成され、
前記前壁には、前記差込折目線の各先端から前記前壁の上隅部まで延びる第１窓部切目線が形成されていることを特徴とする包装箱。
【請求項５】
請求項４記載の包装箱において、
前記手指差込部及び前記第１窓部切目線は、後壁にも形成され、
前記左側壁及び前記右側壁の上端には、前記第２折目線に沿って、トレー形成用切目線が形成されていることを特徴とする包装箱。
【考案の詳細な説明】
【技術分野】
【０００１】
本考案は、被包装物を収容する包装箱に関する。
【背景技術】
【０００２】
従来、短側面を開口できるＡ式（いわゆる、みかん箱）の包装箱が知られている（例えば、特許文献１参照）。
【０００３】
特許文献１に記載の包装箱は、一対の長側面及び一対の短側面とで四角筒状に形成された胴部と、長側面の上縁及び下縁にそれぞれ折目線を介して連設された２組の外フラップと、短側面の上縁及び下縁にそれぞれ折目線を介して連設された２組の内フラップと、を備え、短側面には、概略Ｕ字状のミシン目と、手指差込部とが形成されている。
【０００４】
この手指差込部は、ミシン目の底部中央から上方に延びる第１切れ目と、該第１切れ目の上端から、それぞれ左右方向に向かってミシン目と略平行に延びる差込折目線と、各差込折目線の先端からミシン目まで延びる一対の第２切れ目線と、ミシン目のうちで一対の第２切れ目線で挟まれる領域とからなる。
【０００５】
上記構成により、特許文献１に記載の包装箱では、手指差込部を内側に向かって押し込むと、手指差込部のミシン目の第２切れ目に挟まれた領域、第１切れ目及び第２切れ目が破断されるとともに折目線が山折りされ、手指差込部は胴部の内側に折り込まれる。そして、手指差込部により形成された開口から胴部の内側に手指等を挿入し、短側面の内面に指を掛け、上方向かつ短側面から離間する方向に引っ張り上げると、ミシン目が中央から左上及び右上に向かってそれぞれ破断されていき、ミシン目全体が破断される。これにより、短側面に開口を形成することができる。
【先行技術文献】
【特許文献】
【０００６】
【特許文献１】実用新案登録第３２２６８０３号公報
【考案の概要】
【考案が解決しようとする課題】
【０００７】
しかしながら、特許文献１に記載の包装箱では、例えば円柱状の缶詰などが被包装物として縦横隙間なく整列され充填されている場合には、缶詰に衝突するので手指差込部を内側に向かって押し込めない。
【０００８】
本考案は、以上の点に鑑み、円柱状の缶詰などが被包装物として整列されている場合でも、押し込みやすい手指差込部を有する包装箱を提供することを目的とする。
【課題を解決するための手段】
【０００９】
本考案の包装箱は、前後左右４枚の側壁からなる四角筒状の胴部と、前記胴部の上端開口及び下端開口を封止する上面封止部及び下面封止部と、を備え、円柱状の被包装物を左右方向に少なくとも３個以上整列させて収容する包装箱において、前記側壁には、正面視において、左右方向に３つ隣り合った所定の被包装物群の中央の被包装物から左右の被包装物に跨るように一対の手指差込部がそれぞれ設けられ、手指差込部は、正面視において、前記中央の被包装物の中央部から左右の被包装物の中央部の手前までそれぞれ延びる差込折目線と、前記差込折目線の中央部から各先端までそれぞれ屈曲または湾曲して延びる差込切目線とを有し、前記差込切目線は、正面視において、前記中央の被包装物の中央部から左右の被包装物との隙間に向かうにしたがい、差込折目線からの距離が大きくなることを特徴とする。
【００１０】
本考案の包装箱では、手指差込部は、正面視において、側壁の左右方向に３つ隣り合った所定の被包装物群のうち、中央の被包装物から左右の被包装物に跨るようにそれぞれ一対設けられている。そして、この手指差込部は、正面視において、中央の被包装物の中央部から左右の被包装物の中央部の手前までそれぞれ延びる差込折目線と、差込折目線の中央部から各先端までそれぞれ屈曲または湾曲して延びる差込切目線を有している。そのため、差込切目線に沿って破断して、差込折目線を回動軸として手指差込部を包装箱の内部に挿入することができる。
【００１１】
このとき、手指差込部を構成する差込切目線は、正面視において、中央の被包装物の中央部から左右の被包装物との隙間に向かうにしたがい、差込折目線からの距離が大きくなっている。そのため、手指差込部は、中央の被包装物の中央部近傍では長さ（差込切目線と差込折目線との距離）が短く、押し込んだときに中央の被包装物に衝突しにくい。
【００１２】
他方、差込折目線は、左右の被包装物の中央部の手前までしか延びておらず、かつ、手指差込部を構成する差込切目線は左右の被包装物との隙間に向かうにしたがい、差込折目線からの距離が大きくなっている。そのため、手指差込部は、単に小さくしただけでは押し込みにくくなってしまうので、これを解決すべく、押し込みやすいように十分な長さ（差込切目線と差込折目線との距離）を確保しても、その部分は、中央の被包装物と左右の被包装物との隙間に概ね収納される。
【００１３】
よって、本考案の包装箱の手指差込部は、円柱状の缶詰などが被包装物として整列されている場合でも押し込みやすい。
【００１４】
また、本考案において、前記差込折目線は、Ｖ字状または逆Ｖ字状に形成され、前記差込切目線は、前記差込折目線がＶ字状のときは上方に向かって凸状、前記差込折目線が逆Ｖ字状のときは下方に向かって凸状に形成されることが好ましい。
【００１５】
かかる構成によれば、手指差込部のうち中央の被包装物の中央部近傍の領域を、中央の被包装物から遠ざけるように回動させることができるため、より押し込んだときに中央の被包装物に衝突しにくい。
【００１６】
また、本考案の包装箱において、前記側壁には、前記差込折目線の各先端から前記側壁の上端まで延びる第１窓部切目線と、前記上端に沿って延びて第１窓部切目線の両先端を繋ぐ第２窓部切目線とが形成されていることが好ましい。
【００１７】
かかる構成によれば、手指差込部により形成された開口から胴部の内側に手指等を挿入し、側壁の内面に指を掛け、上方向かつ側壁から離間する方向に引っ張り上げると、第１窓部切目線が中央から左上及び右上に向かってそれぞれ破断されていき、第１窓部切目線の破断完了後にさらに引っ張ると、第１窓部切目線の両先端を繋ぐ第２窓部切目線が破断され、側壁に窓部を形成することができる。
【００１８】
上記考案以外にも、本考案の包装箱は、前記胴部は、前壁、後壁、左側壁、右側壁とにより構成され、前記上面封止部は、前記左側壁及び前記右側壁の上端に第１折目線を介して延設された一対の外フラップと、前記前壁及び前記後壁の上端に第２折目線を介してそれぞれ延設された一対の内フラップとにより構成され、前記手指差込部は、前壁に形成され、前記前壁には、前記差込折目線の各先端から前記前壁の上隅部まで延びる第１窓部切目線が形成されているように構成してもよい。
【００１９】
通常、この種の包装箱は、外フラップの先端を突き合わせてガムテープを貼着することで封緘されている。このとき、内フラップはガムテープが貼着されておらず、内フラップに連接された前壁（または後壁）に若干のガムテープが貼着されることになる。
【００２０】
そのため、手指差込部により形成された開口から胴部の内側に手指等を挿入し、側壁の内面に指を掛け、上方向かつ側壁から離間する方向に引っ張り上げると、第１窓部切目線が中央から左上及び右上の上隅部までそれぞれ破断され、切り取った前壁を（若干のガムテープを引き剥がし）内フラップごと引き抜くことで、前壁に窓部を形成することができる。
【００２１】
また、上述した前記差込折目線の各先端から前記前壁の上隅部まで延びる第１窓部切目線を有する包装箱において、前記手指差込部及び前記第１窓部切目線は、後壁にも形成され、前記左側壁及び前記右側壁の上端には、前記第２折目線に沿って、トレー形成用切目線が形成されていることが好ましい。
【００２２】
この構成によれば、前壁及び後壁を開口させたのち、切り取った前壁及び後壁を引っ張り上げることで、ガムテープを介して接続された外フラップをトレー形成用切目線に沿って破断することができる。
【００２３】
これにより、この構成を備える包装箱によれば、容易にトレー形状にすることができる。また、切り取った前壁及び後壁と一対の外フラップとは、ガムテープで接続されているため、廃棄点数を減らすことができる。
【図面の簡単な説明】
【００２４】
【図１】包装箱を示す斜視図。
【図２】包装箱を展開して示す展開図。
【図３Ａ】包装箱を示す上面断面図。
【図３Ｂ】包装箱を示す正面図。
【図４】包装箱の前壁の前手指差込部を包装箱１の内部に押し込んだ状態を示す斜視図。
【図５】包装箱の前壁の前手指差込部を上方に引っ張り上げた状態を示す斜視図
【図６】包装箱の前壁の一部と上面内フラップ部とを取り外した状態を示す斜視図。
【図７】包装箱の前壁の一部と後壁の一部と包装箱の上面封止部とを取り外した状態を示す斜視図。
【考案を実施するための形態】
【００２５】
本考案の一実施形態を図面に基づいて説明する。
【００２６】
図１に示すように、包装箱１は、四角筒状の胴部２と、互いに対向する上面封止部３及び下面封止部４とを備え、四角箱状に形成されている。包装箱１は、例えば、缶詰などの円柱状の商品Ｓ（被包装物）を複数、隙間なく整列させて収容（例えば、１列に３個×４列で１２個）するものである（図３Ａ及び図７参照）。
【００２７】
胴部２は、前後左右４枚の側壁としての右側壁５、前壁６、左側壁７及び後壁８を備え、右側壁５及び左側壁７が左右一対で互いに対向し、前壁６及び後壁８が互いに対向し、四角筒状に形成されている。
【００２８】
上面封止部３は、互いに対向する一対の上面内フラップ部３ａ，３ｂと、互いに対向する一対の上面外フラップ部３ｃ，３ｄから構成され、胴部２の上端開口を封止する。  本実施形態では、一対の上面外フラップ部３ｃ，３ｄの先端を突き合わせてガムテープＴを貼着することで封緘されている（図１参照）。このガムテープＴは、前壁６から上面外フラップ部３ｃ，３ｄを介して、後壁８まで貼り付けられている。
【００２９】
下面封止部４は、互いに対向する一対の下面内フラップ部４ａ，４ｂと、互いに対向する一対の下面外フラップ部４ｃ，４ｄから構成され、胴部２の下端開口を封止する。本実施形態では、一対の下面外フラップ部４ｃ，４ｄの先端を突き合わせてガムテープＴを貼着することで封緘されている。このガムテープＴは、前壁６から下面外フラップ部４ｃ，４ｄを介して、後壁８まで貼り付けられている。
【００３０】
包装箱１は、図２に示すように、大略矩形状に打抜いて形成された段ボール板紙１０により組み立てられる。
【００３１】
段ボール板紙１０は、図２において展開して示すように、の右側壁５の右側縁には、折目線Ｌ１を介しての前壁６が連結されている。また、右側壁５の左側縁には、折目線Ｌ２を介して接着片１１が連結されている。さらに、前壁６の右側縁には、折目線Ｌ３を介しての左側壁７が連結され、左側壁７の右側縁には、折目線Ｌ４を介しての後壁８が連結されている。
【００３２】
前壁６の上端縁には、折目切目線Ｌ５を介して上面内フラップ部３ａが連結され、後壁８の上端縁に、折目切目線Ｌ６を介して上面内フラップ部３ｂが連結されている。また、右側壁５の上端縁には、折目切目線Ｌ７を介して上面外フラップ部３ｃが連結され、左側壁７の上端縁には、折目切目線Ｌ８を介して上面外フラップ部３ｄが連結されている。
【００３３】
本実施形態では、折目切目線Ｌ５〜Ｌ８は、不連続な複数の単位切れ目が、一の単位切目の先端の上側に先端側で隣接する単位切目の後端部が配置される所謂ジッパーにより構成され、破断させる方向に力が加わった場合に簡単に破断できる。
【００３４】
前壁６の下端縁には、折目線Ｌ９を介して下面内フラップ部４ａが連結され、後壁８の下端縁には、折目線Ｌ１０を介して下面内フラップ部４ｂが連結されている。また、右側壁５の下端縁には、折目線Ｌ１１を介して下面外フラップ部４ｃが連結され、左側壁７の下端縁には、折目線Ｌ１２を介して下面外フラップ部４ｄが連結されている。
【００３５】
接着片１１には、第１接着部１１ａと第２接着部１１ｂとが形成され、その境目には、折目線Ｌ１３が形成されている。第１接着部１１ａは、後壁８に接着され、第２接着部１１ｂは、下面内フラップ部４ｂに接着されるものである。
【００３６】
次に、前壁６の構成について、図２、図３Ａ及び図３Ｂを用いて説明する。
【００３７】
まず、図２及び図３Ｂに示すように、前壁６には、一対の前手指差込部２０がそれぞれ設けられている。図３Ａに示された商品Sの配置と対比して図３Ｂをみると明らかなように、一対の前手指差込部２０は、左右方向に３つ隣り合った商品Ｓ群の中央の商品Ｓから左右の商品Ｓに跨るように形成されている。
【００３８】
図３Ａ及び図３Ｂに示すように、一対の前手指差込部２０は、正面視において、中央の商品Ｓの中央部から左右の商品Ｓの中央部の手前までそれぞれ延びる一対の前差込折目線Ｌ１４と、一対の前差込折目線Ｌ１４の中央から各前差込折目線Ｌ１４の先端までそれぞれ湾曲して延びる前差込切目線２１とによって形成されている。
【００３９】
一対の前差込折目線Ｌ１４は、逆Ｖ字状に形成されている。各前差込切目線２１は、下方に向かって凸状で、正面視において、中央の商品Ｓの中央部から左（または右）の商品Ｓとの隙間に向かうにしたがい、前差込折目線Ｌ１４からの距離が大きくなるように形成されている。また、一対の前差込切目線２１は、基端部側（一対の前差込折目線Ｌ１４の中央付近）では、重なって下方に延びている。
【００４０】
さらに前壁６には、前差込折目線Ｌ１４の各先端から前壁６の上隅部までそれぞれ延びる一対の前第１窓部切目線２２が形成されている。
【００４１】
本実施形態では、前差込切目線２１及び前第１窓部切目線２２と、折目切目線Ｌ５（本考案の「第２窓部切目線」に相当する。）とにより囲まれた部分が、後述する前開口６ａを形成するための前開口形成部６ｂとなる。
【００４２】
同様に後壁８には、図２に示すように、後述する後開口８ａを形成するための後前開口形成部８ｂが形成されている。
【００４３】
後壁８に形成された後開口形成部８ｂは、後第１窓部切目線３２が後壁８の上隅部ではなく、後壁８の上端縁（折目切目線Ｌ６）に直交する方向に延びている点においてのみ前開口形成部６ｂと異なり、後手指差込部３０及び後差込切目線３１はそれぞれ前手指差込部２０及び前差込切目線２１と同様の構成を備える。なお、後前開口形成部８ｂにおいては、折目切目線Ｌ６の後第１窓部切目線３２の両先端で挟まれる範囲が、本考案の第２窓部切目線に相当する。
【００４４】
次に、図４〜図６を参照して、販売店等で、包装箱１に窓部を形成して、内部に収容した複数の商品Ｓを視認可能にする作業を説明する。
【００４５】
図４に示すように、作業者は、左右の手指（図中では親指）を前壁６の各前手指差込部２０にそれぞれ包装箱１の内部に向かって押し込むことで、前切目線２３を破断するとともに前差込折目線Ｌ１４を折り曲げて、前手指差込部２０を（前差込折目線Ｌ１４を回動軸として揺動させ包装箱１の内部に挿入させる。
【００４６】
次に、図５に示すように、作業者は、そのまま前差込折目線Ｌ１４に指を掛け、前壁６の上半部を上方向かつ前壁６から離間する方向に引っ張り上げる。
【００４７】
これにより、一対の前第１窓部切目線２２が、中央から左上及び右上の上隅部までそれぞれ破断される。そのまま、図６に示すように、前壁６の上半部を、若干のガムテープを引き剥がしながら上面内フラップ部３ａごと引き抜くことで前壁６に前開口６ａ（窓部）が形成される。
【００４８】
これにより、前開口６ａから容易に包装箱１の内部を視認することができる（図６では、商品Ｓは図示略。）。
【００４９】
なお、前第１窓部切目線２２を破断した後に、折目切目線Ｌ５に沿って前壁６を破断することで、前開口形成部６ｂを取り外して前開口６ａを開口させることもできるが、本実施形態の前開口形成部６ｂは上面内フラップ部３ａに連結されているため、上隅部まで破断してしまえば折目切目線Ｌ５を破断することなく上面内フラップ部３ａごと前開口形成部６ｂを引き抜くことができる。
【００５０】
次に、本実施形態に係る包装箱１における作用効果について説明する。
【００５１】
まず、前手指差込部２０は、正面視において、前壁６の左右方向に３つ隣り合った商品Ｓ群のうち中央の商品Ｓから左右の商品Ｓに跨るように配置されることで、円柱状の商品と商品との隙間に対応する位置に形成されているため、包装箱１の内部に向かって押し込みやすい。
【００５２】
もっとも、手指差込部２０は、単に小さくしただけでは押し込みにくくなってしまう。これを解決するために、本実施形態では、前手指差込部２０を構成する前差込切目線２１は、正面視において、中央の商品Ｓの中央部から左右の商品Ｓとの隙間に向かうにしたがい、前差込折目線Ｌ１４からの距離が大きくなっている。これにより、（中央の）商品Ｓに衝突しやすい中央部近傍では幅（前差込切目線２１と前差込折目線Ｌ１４との距離）を狭くして衝突を回避する一方で、隙間に対応する左右端側を幅広（前差込切目線２１と前差込折目線Ｌ１４との距離を長く）にすることで、押し込みやすくしている。
【００５３】
また、前差込折目線Ｌ１４を逆Ｖ字状に形成しつつ、前差込切目線２１を下方に向かって凸状に形成しているので、前手指差込部２０を、衝突しやすい中央の商品Ｓから遠ざけるように回動させることができるため、さらに包装箱１の内部に向かって押し込みやすくなっている。
【００５４】
同時に、一対の前差込切目線２１がそれぞれ下方に向かって凸状に形成しているので、前壁６に前開口６ａを形成したときに、前開口６ａの下縁部がＷ字状になる。そのため、商品Ｓ間の隙間に対応する位置は大きく開口させて内部の商品を見やすくするとともに、中央は切り残された前壁を高くすることで、中央の商品Ｓが意図せず落下しにくくなっている。
【００５５】
なお、窓部は、後壁８に開口させてもよい。その場合、上記同様に、後手指差込部３０を包装箱１の内部に向かって押し込んでから、後壁８の上半部を持ち上げて後第１窓部切目線３２を破断させ、最後に、折目切目線Ｌ６の後第１窓部切目線３２の両先端で挟まれる範囲を破断させることで、後開口形成部８ｂを後壁８から取り外して後開口８ａを開口させる。なお、前開口６ａと同様に、後第１窓部切目線３２の破断完了後に、折目切目線Ｌ６の後第１窓部切目線３２との接続部から後壁８の左上及び右上の上隅部までの部分を破断させて、上面内フラップ部３ｂごと後開口形成部８ｂを引き抜いてもよい。この場合において、折目切目線Ｌ６の破断される部分は、本考案の「第１窓部切目線」に含まれる構成である。
【００５６】
また、包装箱１は、容易にトレー形状（図７参照）にすることができる。
【００５７】
この場合、図５に示すように、前差込切目線２１及び前第１窓部切目線２２を破断させて前壁６の上半部を持ち上げたのち、後手指差込部３０及び後第１窓部切目線３２を破断させて後壁８の上半部を持ち上げ、さらに、後第１窓部切目線３２の折目切目線Ｌ６の後第１窓部切目線３２との接続部から後壁８の左上及び右上の上隅部までの部分を破断させる。
【００５８】
そのうえで、前壁６及び後壁８の両上半部を引っ張り上げることで、図７に示すように、ガムテープＴを介して接続された一対の上面外フラップ部３ｃ，３ｄを折目切目線Ｌ７，Ｌ８（トレー形成用切目線）に沿って破断させる。
これにより、包装箱１は、容易にトレー形状（図７参照）にすることができる。特に、切り取った前壁６及び後壁８と一対の上面外フラップ部３ｃ，３ｄとは、ガムテープＴで接続されているため、廃棄点数を減らすことができる。
【００５９】
なお、上記実施形態では、包装箱１を段ボール板紙１０により構成しているが、紙や樹脂等により構成してもよい。
【００６０】
また、上記実施形態では、前壁６及び後壁８に、各手指差込部２０，３０を形成しているが、各壁５〜８の少なくとも１つに形成すればよい。
【００６１】
さらに、各壁５〜８の少なくとも１つに、差込折目線と差込切目線とを有する手指差込部が形成されていればよく、差込折目線の各先端から側壁の上端まで延びる第１窓部切目線や、側壁の上縁に沿って延びて第１窓部切目線の両先端を繋ぐ第２窓部切目線は、形成しなくてもよい。
【００６２】
また、上記実施形態では、前手指差込部２０（後手指差込部３０も同様）を、逆Ｖ字状に形成された前差込折目線Ｌ１４と、前差込折目線Ｌ１４の中央部から各先端までそれぞれ下方に向かって凸状に湾曲して延びるように形成された前差込切目線２１と有する形状としているが、前手指差込部２０は、Ｖ字状に形成された前差込折目線Ｌ１４と、前差込折目線Ｌ１４の中央部から各先端までそれぞれ上方に向かって凸状に湾曲して延びるように形成された前差込切目線２１とで構成してもよい。なお、前差込折目線Ｌ１４及び後差込折目線Ｌ１５は、Ｖ字状及び逆Ｖ字状に限られず、水平方向に延びるように形成してもよい。
【００６３】
さらに、上記実施形態では、前手指差込部２０の前差込切目線２１を、前差込折目線Ｌ１４の中央部から各先端までそれぞれ湾曲して延びるように形成しているが、屈曲してＬ字状やコ字状に延びるように形成してもよい。
【符号の説明】
【００６４】
１…包装箱、２…胴部、３…上面封止部、３ａ，３ｂ…上面内フラップ部、３ｃ，３ｄ…上面外フラップ部、４…下面封止部、５…右側壁、６…前壁、７…左側壁、８…後壁、２０…前手指差込部、２１…前差込切目線、２２…前第１窓部切目線、３１…後差込切目線、３２…後第１窓部切目線、Ｌ６…折目切目線（第２窓部切目線）、Ｌ７，Ｌ８…折目切目線（トレー形成用切目線）、Ｌ１４…前差込折目線、Ｌ１５…後差込折目線
【図１】
0003231492.tif 000003
【図２】
0003231492.tif 000004
【図３Ａ】
0003231492.tif 000005
【図３Ｂ】
0003231492.tif 000006
【図４】
0003231492.tif 000007
【図５】
0003231492.tif 000008
【図６】
0003231492.tif 000009
【図７】
0003231492.tif 000010